(57)【特許請求の範囲】
【請求項１】
吹奏楽器のマウスピースにリードを固定する固定装置であって、マウスピースに沿って接して下側に配置されるリードと、このリードの下側の外面に接して配置される第１リード片と、前記マウスピースの外面で周方向の２箇所に配置される第２および第３リード片と、前記周方向に略等間隔に配置される前記３つのリード片を介して、前記マウスピースの外周に巻いて取付けられるバンドと、このバンドの両端に連結して回転可能に、左右方向に設けられる回転軸と、前記マウスピースと直角で、前記回転軸と直交して一体に設けられ前記第１リード片を押圧する押圧ネジと、この押圧ネジの先端に設けられ前記第１リード片に押圧される押圧プレートと、を有し、前記３つのリード片は、マウスピースに配置されていた古いリードをカットして形成できる大きさを有し、リードの湾曲した外側の面でマウスピースと接触することを特徴とするリード固定装置。
【請求項２】
前記押圧ネジは、後端に設けられ指で回転できるツマミと、前記回転軸の中央にこの軸と直交して形成される雌ネジ孔に、螺合する雄ネジと、を有してなることを特徴とする請求項１に記載のリード固定装置。
【発明の詳細な説明】
【技術分野】
【０００１】
この発明は、吹奏楽器のマウスピースにリードを固定する固定装置の構造等に関する。
【背景技術】
【０００２】
吹奏楽器であるサクソフォンやクラリネットなどは、奏者が口で吹くことで、リードと呼ばれる部分が振動して、音が出る。このようなリードを有する楽器をリード楽器ともいう。このリード は、振動しやすい薄片であり、振動して音源となるものであって、その材質は、音質に大きく影響する。材質は、暖竹、葮竹、葦竹等の竹、さらには、プラスチックであることが多い。
【０００３】
このリードの善し悪しは、微妙なものであって、かつ音質に大きな影響を与える。このため、奏者は、専用のリードを大切にする。
このリードは、楽器のマウスピースの部分に、金属製などのリガチャーと呼ばれる器具で、巻いて取付けられる。この取付の善し悪しも、また、音質に影響を与える。器具の価格も高価である。
従来の金属製のリガチャー１０１は、たとえば図４に示すように、マウスピース１０３に沿って接して配置されるリード１０５の外面に、このリード１０５を押さえるプレート１０７が配置される。そして、マウスピース１０５の外周を巻いてバンド１０９が取付けられる。この金属製のバンド１０９の両端は、溶接片１１１を介して溶接により連結される。この溶接片１１１には、押圧ネジ１１３が、貫通し、螺合して設けられ、押圧ネジ１１３の先端が前記プレート１０７の外面を押圧する。この押圧ネジ１１３の押圧により、リード１０５の固定が行われる。押圧ネジ１１３の後端には、図示しないドライバー溝が形成され、ドライバーという道具で、押圧ネジ１１３を回転させ、押圧を行う。
【０００４】
リガチャーを構成する金属は、マウスピースやリードの材質とは異質であり、音質には悪影響を与える。
特許文献１には、リガチャーとマウスピースが、あまり接触にないように、マウスピースの周方向の３箇所にスペーサー部材を設けることで、リガチャーのベルト相当部分である細いバネ部材が、３箇所だけで、しかもスペーサー部材を介して、マウスピースに接する構造が提案される。
【先行技術文献】
【特許文献】
【０００５】
【特許文献１】米国特許和文抄録５５７８７７６
【発明の概要】
【発明が解決しようとする課題】
【０００６】
しかしながら、上記特許文献１では、スペーサー部材の材質によっては、やはり、音質には悪影響を与えてしまう。また、ベルトではない細いバネ部材では、十分に強い力で固定を行うことができない。
また、従来のベルトを有するリガチャーは、より強い力で固定できるものの、マウスピースの形状の違いに対応できない。すなわち、リードのみならずマウスピースも言わば消耗品であり、交換しなければならないが、同じ楽器用であってもメーカーによって形状がかなり異なる。また、同じメーカーの同じ型番のマウスピースであっても、微妙に形状が異なることがある。そのように形状が異なる場合にリガチャーがうまく対応できないことがある。その場合には、対応できる別のリガチャーを購入しなければならない。リード、マウスピース、リガチャーはそれぞれ高価であり、互いに互換性があることが望ましい。
【０００７】
この発明は、以上の問題点を解決するために、楽器の音質に悪影響を与えることが少なく、形状が異なるマウスピースにも対応しやすいリード固定装置を提供することを目的とする。
【課題を解決するための手段】
【０００８】
以上の課題を解決するために、第一発明は、吹奏楽器のマウスピースにリードを固定する固定装置であって、マウスピースに沿って接して配置されるリードと、このリードの外面に接して配置される第１リード片と、前記マウスピースの外面で周方向の２箇所に配置される第２および第３リード片と、前記周方向に略等間隔に配置される前記３つのリード片を介して、前記マウスピースの外周に巻いて取付けられるバンドと、このバンドの両端に連結して回転可能に設けられる回転軸と、この回転軸と一体に設けられ前記第１リード片を押圧する押圧ネジと、この押圧ネジの先端に設けられ前記第１リード片に押圧される押圧プレートと、を有することを特徴とするリード固定装置である。
【０００９】
第二発明は、さらに、前記３つのリード片は、マウスピースに配置されていた古いリードをカットして形成できる大きさを有し、リードの湾曲した外側の面でマウスピースと接触することを特徴とするリード固定装置である。
第三発明は、さらに、前記押圧ネジは、後端に設けられ指で回転できるツマミと、前記回転軸の中央にこの軸と直交して形成される雌ネジ孔に、螺合する雄ネジと、を有してなることを特徴とするリード固定装置である。 
【発明の効果】
【００１０】
第一、第二、又は第三発明によれば、３箇所にスペーサー部材として、３つのリード片を用いることになる。よって、本来的に、マウスピースやその楽器と相性のよい材質のスペーサー部材となるので、楽器の音質に悪影響を与えることが少ない。このことは実際の演奏で確認された。
【００１１】
また、一群として概略同じ姿勢を保つ、押圧ネジ、回転軸、および第１リード片に対して、他の群として、バンド、第２および第３リード片は、回転軸回りに微妙に回転し、そのため、形状が異なるマウスピースにも対応して、しっかりと強い力でリードの固定を行うことができる。
【００１２】
第二、又は第三発明によれば、さらに、３つのリード片は、古いリードをカットして形成できるので、コストをかけずに、楽器の音質に悪影響を与えることを抑止できる。
さらに、各リード片は、リードの湾曲した面でマウスピースと接触するので、接触点が小さくなり、優れた音響を得られる。
第三発明によれば、さらに、押圧ネジは、後端に設けられ指で回転できるツマミで操作でき、道具を必要とせずに、リードの交換が行える。また、押圧ネジは、回転軸の中央に直交して設けられることになり、押圧ネジの押圧力を損なわずに、回転軸回りの回転が行われ、よって、形状が異なるマウスピースにも対応して、より、しっかりと強い力でリードの固定を行うことができる。
【図面の簡単な説明】
【００１３】
【図１】（Ａ）は、この発明の一実施形態にかかるリード固定装置により固定を行った状態の側面図、（Ｂ）は（Ａ）の断面図である。
【図２】図１（Ｂ）の要部を、一部を透視して示す拡大図である。
【図３】図１に用いるリード片を古いリードから切り出す様子を示すもので（Ａ）は古いリードの平面図、（Ｂ）は（Ａ）の側面図、（Ａ）（Ｂ）とも楕円で囲んだ部分が切り出し部分を示す、（Ｃ）は（Ａ）から第２および第３リード片となるリード片を切り出した平面図、（Ｄ）は（Ｃ）の側面図、（Ｅ）は（Ｃ）の断面図、（Ｆ）は（Ｄ）の断面図、（Ｇ）は（Ｃ）のリード片を２つに分割して第３リード片とする様子を示す平面図、（Ｈ）は（Ｇ）の分割前の断面図、（Ｉ）は（Ｇ）の分割後の断面図である。
【図４】（Ａ）は、従来の装置により固定を行った状態の側面図、（Ｂ）は（Ａ）の断面図である。
【発明を実施するための形態】
【００１４】
この発明の実施形態を、図１〜図３に示す。
この実施形態の装置は、吹奏楽器であるサクソフォンのマウスピース１にリード３を固定する固定装置５である。
図１に示すように、マウスピース１は、おおよそ円筒状の断面を有するが、息を吹き込む部分のみが、扁平な空間を有する。その扁平空間の一面が、図示しないものの開放された形状になっており、この開放部分に沿って、リード３が接して配置される。これによりリード３は扁平空間の一面を構成する。
【００１５】
このリード３はマウスピース１に対して、金属製のバンド７で固定される。そして、この固定を行う部分へのスペーサーとして、３つのリード片９（１１，１３，１５）を用いる。
まず、リード３の外面（図１中下側）に接して第１リード片１１が配置される。次に、マウスピース１の外面で、周方向の２箇所に、第２および第３リード片１３，１５が配置される。
これら３つのリード片９は、マウスピースの周方向に略等間隔に、すなわち略１２０度の間隔で配置される。
図３に示すように、これら３つのリード片９は、過去にマウスピース１に配置されていた古いリード１７をカットして形成できる大きさを有する。
すなわち、図（Ａ）（Ｂ）に示すように、リード３は、細長く薄い舌状をなし、先端がより薄く、よって、振動しやすくなっている。断面は、薄いカマボコ状で、一方の面は湾曲し、他方の面は平面である。湾曲した面１９が外側となった状態でマウスピース１に取付けられる。
【００１６】
このリード３の後方の厚さが一定で厚い部分を、カットする。このカットする長さは、後述するバンド７の幅の大きさに対応させる。同じようにして３個のリード片９を作る。
図（Ｃ）〜（Ｆ）に示すように、うち２つは第２および第３リード片１３，１５とし、湾曲した面１９を内側にし、マウスピース１との接触面をより小さくする。
図（Ｇ）〜（Ｉ）に示すように、他のリード片９は、第１リード片１１とし、さらに幅方向に２つに分割するようにカットする。そして、湾曲した面１９を内側にし、並べ替えカット面を外側にして、隣り合わせる（図（Ｉ））。この並べ替えにより、リード３の湾曲した外側の面と安定して、接触できる。
【００１７】
図１、図２に示すように、これら３つのリード片９を介して、マウスピース１の外周に、バンド７が巻いて取付けられる。このバンド７の両端は、回転軸２１によって連結される。すなわち、バンド７の両端には連結孔２３が開けられ、回転軸２１が貫通し、貫通先にはフランジ２５が抜け止として形成される。このようにしてバンド７は、回転軸２１に対して回転可能に設けられる。
【００１８】
この回転軸２１と一体に押圧ネジ２７が設けられ、第１リード片１１を押圧する。すなわち、この押圧ネジ２７は、指で回転させるためのツマミ２９が後端に設けられる。回転軸２１の中央には、押圧ネジ２７の軸と直交して、雌ネジ孔３１が形成される。この雌ネジ孔３１に螺合する雄ネジ３３が、押圧ネジ２７の外周に形成される。そして、押圧ネジ２７の先端には、押圧プレート３５が設けられ、第１リード片１１に押圧される。
押圧プレート３５の外側には、取付雄ネジ３７が突設され、押圧ネジ２７の先端の穴に形成される取付雌ネジ３９に螺合して、取付が行われる。
【００１９】
「実施形態の効果」
この実施形態によれば、３箇所にスペーサー部材として、３つのリード片９を用いることになる。よって、本来的に、マウスピース１やその吹奏楽器と相性のよい材質のスペーサー部材となる。よって、異質な材質の振動により、楽器の音質に悪影響を与えるということが、ない。このことは発明者の実際の演奏などで確認された。ナチュラルな音響を確認できた。
【００２０】
また、各リード片９は、湾曲した外側の面でマウスピース１と接触するので、接触点が小さくなり、吹奏感が軽く、柔らかな優れた音響を得られる。
また、押圧ネジ２７、回転軸２１、および第１リード片１１は、一群として概略同じ姿勢を保つ。そしてこの一群に対する他の群として、バンド７、第２および第３リード片１３，１５が、概略同じ姿勢を保つ。そして、前記一群に対して、回転軸２１回りに、他の群が、微妙に回転する。この回転のため、形状が異なるマウスピース１にも対応して、各リード片９がフィットし、しっかりと強い力で、リード３のマウスピース１への固定を行うことができる。
【００２１】
さらに、３つのリード片９は、古いリード１７をカットして形成できるので、新しくカット用のリード３を購入する場合に比べ、コストをかけずに吹奏楽器の音質に悪影響を与えることを抑止できる。
さらに、押圧ネジ２７は、後端に設けられ指で回転できるツマミ２９で操作でき、操作のための道具を必要とせずに、リード３の交換が行える。また、押圧ネジ２７は、回転軸２１の中央に直交して設けられることになり、押圧ネジ２７の押圧力を損なわずに、回転軸回りの回転が行われる。よって、形状が異なるマウスピース１にも対応して、より、しっかりと強い力でリード３の固定を行うことができる。
【００２２】
「他の実施形態」
以上の実施形態では、サクソフォンのマウスピース１にリード３を固定する固定装置５として説明したが、他の実施形態では、サクソフォン以外のクラリネット等の他の吹奏楽器のマウスピースにリードを固定する固定装置としても本発明は実施できる。
【符号の説明】
【００２３】
１…マウスピース、３…リード、５…固定装置、７…バンド、９…リード片、１１…第１リード片、１３…第２リード片、１５…第３リード片、１７…古いリード、１９…湾曲した面、２１…回転軸、２３…連結孔、２５…フランジ、２７…押圧ネジ、２９…ツマミ、３１…雌ネジ孔、３３…雄ネジ、３５…押圧プレート。
【要約】      （修正有）【課題】楽器の音質に悪影響を与えることが少なく、形状が異なるマウスピースにも対応しやすいリード固定装置を提供する。【解決手段】  マウスピース１に沿って接して配置されるリード３の外面に、第１リード片１１を接して配置する。マウスピースの外面で周方向の２箇所に第２および第３リード片１３，１５を配置する。このように周方向に略等間隔に配置される３つのリード片９を介して、バンド７を、マウスピースの外周に巻いて取付ける。バンド７の両端に連結して回転可能に設けられる回転軸２１と一体に、押圧ネジ２７を設け、この押圧ネジ２７の先端に押圧プレート３５を設け、第１リード片１１を押圧する。前記３つのリード片９は、マウスピース１に配置されていた古いリードをカットして形成する。【選択図】図１【図１】
0005438200.tif 000002
【図２】
0005438200.tif 000003
【図３】
0005438200.tif 000004
【図４】
0005438200.tif 000005